Podtech/llm-jp-corpus-v4-ja_patent huggingface dataset:
【手続補正書】
【提出日】平成17年11月8日(2005.11.8)
【手続補正１】
【補正対象書類名】明細書
【補正対象項目名】請求項１
【補正方法】変更
【補正の内容】
【請求項１】  第１及び第２のメモリセルアレイを有する半導体記憶装置であって、
前記第１のメモリセルアレイは、
複数行に渡って少なくとも一列配置された複数の第１のメモリセルと、
前記複数の第１のメモリセルと行単位に接続される複数の第１のワード線とを含み、
前記第２のメモリセルアレイは、
マトリクス状に配置された複数の第２のメモリセルと、
前記複数の第２のメモリセルと行単位に接続される複数の第２のワード線と、
前記複数の第２のメモリセルと行単位に接続され、かつ前記複数の第１のメモリセルのいずれとも接続されない複数の第３のワード線と、
前記複数の第２のメモリセルと列単位に対応して設けられ、前記複数の第２のワード線のうち選択状態の第２のワード線に接続される第２のメモリセルとアクセス可能となる複数の第１のビット線と、
前記複数の第２のメモリセルと列単位に対応して設けられ、前記複数の第３のワード線のうち選択状態の第３のワード線に接続される第２のメモリセルとアクセス可能となる複数の第２のビット線とを含み、
前記半導体記憶装置は、
第１のアドレス信号に基づき、前記複数の第１のワード線のうちのいずれか及び前記複数の第２のワード線のうちのいずれかを同時に選択状態にする第１の行デコーダを、
をさらに備える半導体記憶装置。
【手続補正２】
【補正対象書類名】明細書
【補正対象項目名】請求項６
【補正方法】変更
【補正の内容】
【請求項６】  請求項５記載の半導体記憶装置であって、
第２のアドレス信号基づき、前記複数の第３のワード線のうちのいずれかを選択状態にする第２の行デコーダをさらに備え、
前記第２の行デコーダにより前記第３のワード線を選択状態にして行うアクセスは前記第２のポートによるアクセスを含む、
半導体記憶装置。
【手続補正３】
【補正対象書類名】明細書
【補正対象項目名】請求項８
【補正方法】変更
【補正の内容】
【請求項８】  請求項５記載の半導体記憶装置であって、
前記第２のメモリセルは、外部から与える期待値と自身の記憶内容との比較結果が前記第２のポートより出力可能な連想メモリセルを含む、
半導体記憶装置。
【手続補正４】
【補正対象書類名】明細書
【補正対象項目名】請求項１１
【補正方法】変更
【補正の内容】
【請求項１１】  請求項４記載の半導体記憶装置であって、
第２のアドレス信号基づき、前記複数の第３のワード線のうちのいずれかを選択状態にする第２の行デコーダをさらに備え、
前記第１のメモリセルは第１のポート及び第２のポートによるアクセスが可能な２ポート構成のメモリセルを含み、
前記第２のメモリセルは前記第１のポート及び、前記第２のポートとは異なる第３のポートによるアクセスが可能な２ポート構成のメモリセルを含み、
前記第１のデコーダにより前記第１及び第２のワード線を選択状態にして行うアクセスは前記第１のポートによるアクセスを含む、
前記第２のデコーダにより前記第３のワード線を選択状態にして行うアクセスは前記第３のポートによるアクセスを含む、
半導体記憶装置。
【手続補正５】
【補正対象書類名】明細書
【補正対象項目名】０００７
【補正方法】変更
【補正の内容】
【０００７】
【課題を解決するための手段】
この発明に係る請求項１記載の半導体記憶装置は、第１及び第２のメモリセルアレイを有し、前記第１のメモリセルアレイは、複数行に渡って少なくとも一列配置された複数の第１のメモリセルと、前記複数の第１のメモリセルと行単位に接続される複数の第１のワード線とを含み、前記第２のメモリセルアレイは、マトリクス状に配置された複数の第２のメモリセルと、前記複数の第２のメモリセルと行単位に接続される複数の第２のワード線と、前記複数の第２のメモリセルと行単位に接続され、かつ前記複数の第１のメモリセルのいずれとも接続されない複数の第３のワード線と、前記複数の第２のメモリセルと列単位に対応して設けられ、前記複数の第２のワード線のうち選択状態の第２のワード線に接続される第２のメモリセルとアクセス可能となる複数の第１のビット線と、前記複数の第２のメモリセルと列単位に対応して設けられ、前記複数の第３のワード線のうち選択状態の第３のワード線に接続される第２のメモリセルとアクセス可能となる複数の第２のビット線とを含み、前記半導体記憶装置は、第１のアドレス信号に基づき、前記複数の第１のワード線のうちのいずれか及び前記複数の第２のワード線のうちのいずれかを同時に選択状態にする第１の行デコーダをさらに備えて構成される。
【手続補正書】
【提出日】平成17年11月8日(2005.11.8)
【手続補正１】
【補正対象書類名】明細書
【補正対象項目名】特許請求の範囲
【補正方法】変更
【補正の内容】
【特許請求の範囲】
【請求項１】  設定可能なサーバ機能を制限するサーバ機能設定制限手段と、
検索リクエストとサーバ機能設定リクエストとをネットワークを介して受信するリクエスト受信手段と、
前記リクエスト受信手段で受信した前記サーバ機能設定リクエストを前記サーバ機能設定制限手段での制限に沿って制限しサーバ機能を設定するサーバ機能設定手段と、
前記サーバ機能設定手段で設定したサーバ機能を用いて前記リクエスト受信手段で受信した検索リクエストの検索を行う検索実行手段と、
を備えることを特徴とする検索サーバ装置。
【請求項２】  前記リクエスト受信手段によって受信したリクエストを送信したユーザを識別するユーザ識別手段をさらに備え、
前記ユーザ識別手段で識別されたユーザ毎に、前記サーバ機能の設定制限が異なることを特徴とする請求項１に記載の検索サーバ装置。
【請求項３】  前記検索実行手段の実行時の負荷を監視する負荷監視手段をさらに備え、
前記サーバ機能設定制限手段は、前記負荷に応じて前記サーバ機能の設定制限を変更することを特徴とする請求項１乃至２に記載の検索サーバ装置。
【請求項４】  検索リクエストとサーバ機能設定リクエストとを入力する入力手段と、
前記入力された検索リクエストとサーバ機能設定リクエストとをネットワークを介して検索サーバ装置に送信するリクエスト送信手段と、
を備えることを特徴とする検索クライアント装置。
【請求項５】  前記入力手段では、前記検索サーバで設定が制限されているサーバ機能は入力不能になっていることを特徴とする請求項４に記載の検索クライアント装置。
【請求項６】  設定可能なサーバ機能を制限するサーバ機能設定制限工程と、
検索リクエストとサーバ機能設定リクエストとをネットワークを介して受信するリクエスト受信工程と、
前記リクエスト受信工程で受信した前記サーバ機能設定リクエストを前記サーバ機能設定制限工程での制限に沿って制限しサーバ機能を設定するサーバ機能設定工程と、
前記サーバ機能設定工程で設定したサーバ機能を用いて前記リクエスト受信工程で受信した検索リクエストの検索を行う検索実行工程と、
を備えることを特徴とするサーバの検索方法。
【請求項７】  コンピュータで実行されるプログラムであって、
設定可能なサーバ機能を制限するサーバ機能設定制限ステップと、
検索リクエストとサーバ機能設定リクエストとをネットワークを介して受信するリクエスト受信ステップと、
前記リクエスト受信ステップで受信した前記サーバ機能設定リクエストを前記サーバ機能設定制限ステップでの制限に沿って制限しサーバ機能を設定するサーバ機能設定ステップと、
前記サーバ機能設定ステップで設定したサーバ機能を用いて前記リクエスト受信ステップで受信した検索リクエストの検索を行う検索実行ステップと、
を備えることを特徴とするコンピュータで読み取り可能なプログラム。
【請求項８】  請求項７に記載のプログラムを格納するコンピュータ可読メモリ。
【手続補正２】
【補正対象書類名】明細書
【補正対象項目名】０００５
【補正方法】変更
【補正の内容】
【０００５】
【課題を解決するための手段】
上記の目的を達成するための本発明による検索サーバ装置は以下の構成を備える。即ち、設定可能なサーバ機能を制限するサーバ機能設定制限手段と、検索リクエストとサーバ機能設定リクエストとをネットワークを介して受信するリクエスト受信手段と、前記リクエスト受信手段で受信した前記サーバ機能設定リクエストを前記サーバ機能設定制限手段での制限に沿って制限しサーバ機能を設定するサーバ機能設定手段と、前記サーバ機能設定手段で設定したサーバ機能を用いて前記リクエスト受信手段で受信した検索リクエストの検索を行う検索実行手段。上記の目的を達成するための本発明による検索サーバ方法は以下の構成を備える。即ち、設定可能なサーバ機能を制限するサーバ機能設定制限工程と、検索リクエストとサーバ機能設定リクエストとをネットワークを介して受信するリクエスト受信工程と、前記リクエスト受信工程で受信した前記サーバ機能設定リクエストを前記サーバ機能設定制限工程での制限に沿って制限しサーバ機能を設定するサーバ機能設定工程と、前記サーバ機能設定工程で決定したサーバ機能を用いて前記リクエスト受信工程で受信した検索リクエストの検索を行う検索実行工程。上記の目的を達成するための本発明によるプログラムは以下の構成を備える。即ち、設定可能なサーバ機能を制限するサーバ機能設定制限ステップと、検索リクエストとサーバ機能設定リクエストとをネットワークを介して受信するリクエスト受信ステップと、前記リクエスト受信ステップで受信した前記サーバ機能設定リクエストを前記サーバ機能設定制限ステップでの制限に沿って制限しサーバ機能を設定するサーバ機能設定ステップと、前記サーバ機能設定ステップで設定したサーバ機能を用いて前記リクエスト受信ステップで受信した検索リクエストの検索を行う検索実行ステップ。
【手続補正書】
【提出日】平成16年4月20日(2004.4.20)
【手続補正１】
【補正対象書類名】明細書
【補正対象項目名】００３５
【補正方法】変更
【補正の内容】
【００３５】
電池６３−２のマイナス側には、抵抗６４が直列に接続されている。この抵抗６４は、例えば、５０ｍΩなどの、比較的小さな抵抗値の抵抗が用いられる。ＩＣ６１は、この抵抗６４にかかる電圧を、抵抗６４の両端の電圧値Ｖ0と電圧値Ｖ0'との電圧差から求め、その電圧差を用いて、抵抗６４に流れる電流値を算出する。


【手続補正２】
【補正対象書類名】明細書
【補正対象項目名】００３７
【補正方法】変更
【補正の内容】
【００３７】
同様に、充電制御スイッチ６６は、充電中に、過充電の状態になると判断されるとき（過充電の状態になったと判断されるとき）に、それ以上、充電が行われないように、充電の状態を解除するなどの制御を行うためのスイッチである。充電制御スイッチ６６のスイッチングは、ＩＣ６１からのコマンドＣ2に基づいて行われる。放電制御スイッチ６５や充電制御スイッチ６６は、例えば、ＦＥＴ（Field Effect Transistor）を含む構成とすることができる。


【手続補正３】
【補正対象書類名】明細書
【補正対象項目名】００５８
【補正方法】変更
【補正の内容】
【００５８】
未使用状態であるか否かの判断は、以下のようにして行われる。まず、ＩＣ６１は、抵抗６４（図６）に流れる電流を常に監視している。放電又は充電が行われていなければ、抵抗６４に電流が流れることはない（但し、厳密には、微少な放電電流が流れる）。ＩＣ６１は、抵抗６４に電流が流れていることを検知すると、そのことをマイコン６２に伝達するように構成されている。


【手続補正４】
【補正対象書類名】明細書
【補正対象項目名】００９６
【補正方法】変更
【補正の内容】
【００９６】
ステップＳ３３において、放電電流値Ｉ2が閾値電流Ｉｘよりも小さいと判断された場合、ステップＳ３６に進む。ステップＳ３６に処理が進む場合、二次電池１は、所定の装置に接続されているような状態ではなく、または、接続されていたとしても、所定の装置自体の電源がオフの状態とされているために、その所定の装置に電力を供給していない状態である。このような状態のとき、すなわち、二次電池１が単体で動作を行うときに、スイッチ１２が操作されると、二次電池１の残量に関する情報が、表示部２において行われる。


【手続補正５】
【補正対象書類名】明細書
【補正対象項目名】０１３３
【補正方法】変更
【補正の内容】
【０１３３】
記録媒体は、図１６に示すように、パーソナルコンピュータとは別に、ユーザにプログラムを提供するために配布される、プログラムが記録されている磁気ディスク２２１（フレキシブルディスクを含む）、光ディスク２２２（CD-ROM（Compact Disc-Read Only Memory），DVD（Digital Versatile Disc）を含む）、光磁気ディスク２２３（MD（Mini-Disc）（登録商標）を含む）、若しくは半導体メモリ２２４などよりなるパッケージメディアにより構成されるだけでなく、コンピュータに予め組み込まれた状態でユーザに提供される、プログラムが記憶されているＲＯＭ２０２や記憶部２０８が含まれるハードディスクなどで構成される。
【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
板状電極上で横向き姿勢に保持される溶接ガンの先端に装着される溶接チップとこの板状電極との間に溶接すべき工作物をはさんで加圧通電して抵抗溶接する抵抗溶接機において、前記溶接ガンを枢支軸の周りに旋回できるよう構成する一方、前記溶接ガンの後端を上向きに突き上げて前記溶接チップを旋回させることにより前記工作物を加圧する加圧部材を設けることを特徴とする抵抗溶接機。
【請求項２】
前記加圧部材の頂端が当接する前記溶接ガンの当り面を前記溶接ガンの軸線に対し傾斜させて構成することを特徴とする請求項１記載の抵抗溶接機。
【手続補正２】
【補正対象書類名】明細書
【補正対象項目名】００１３
【補正方法】変更
【補正の内容】
【００１３】    【課題を解決するための手段】  すなわち、本発明は板状電極上で横向き姿勢に保持される溶接ガンの先端に装着される溶接チップとこの板状電極との間に溶接すべき工作物をはさんで加圧通電して抵抗溶接する抵抗溶接機において、溶接ガンを枢支軸の周りに旋回できるよう構成する一方、溶接ガンの後端を上向きに突き上げて溶接チップを旋回させることにより工作物を加圧する加圧部材を設けることを特徴とする。
【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】  異なるインクを吐出する複数の吐出口列を備える記録手段を１つのキャップで覆うインクジェット記録装置において、
前記キャップの吸引口に接続されて前記キャップ内に負圧を作用させるポンプを備え、
前記ポンプにより前記吐出口列からインクを吸引する際、第１のインクを吐出する第１の吐出口列から該吐出口列に対応する吸引口へ至るインク経路上に、前記第１の吐出口列と異なるインクを吐出する第２の吐出口列が配されないよう、前記吸引口が配されていることを特徴とするインクジェット記録装置。
【請求項２】  前記第１の吐出口列と該吐出口列に対応する吸引口との間に、前記第２の吐出口列が配されないよう、前記吸引口が配されていることを特徴とする請求項１に記載のインクジェット記録装置。
【請求項３】  前記キャップに複数の吸引口が形成され、各吐出口列から少なくとも１つの吸引口へ至るインク経路上に、異なるインクを吐出する吐出口列が配されないよう、前記複数の吸引口が配されていることを特徴とする請求項１に記載のインクジェット記録装置。
【請求項４】  前記キャップに複数の吸引口が形成され、各吐出口列と少なくとも１つの吸引口との間に、異なるインクを吐出する吐出口列が配されないよう、前記複数の吸引口が配されていることを特徴とする請求項１に記載のインクジェット記録装置。
【請求項５】  前記各吐出口列は同じインクを吐出する複数の吐出口で形成されていることを特徴とする請求項１ないし４のいずれか１項に記載のインクジェット記録装置。
【請求項６】  前記記録手段は、インクを吐出するために利用される熱エネルギーを発生する電気熱変換体を備えていることを特徴とする請求項１ないし５のいずれか１項に記載のインクジェット記録装置。
【請求項７】  前記記録手段は、前記電気熱変換体が発生する熱エネルギーによりインクに生じる膜沸騰を利用して吐出口よりインクを吐出することを特徴とする請求項６に記載のインクジェット記録装置。
【手続補正２】
【補正対象書類名】明細書
【補正対象項目名】００１４
【補正方法】変更
【補正の内容】
【００１４】
【課題を解決するための手段】
本発明は、上記目的を達成するため、異なるインクを吐出する複数の吐出口列を備える記録手段を１つのキャップで覆うインクジェット記録装置において、前記キャップの吸引口に接続されて前記キャップ内に負圧を作用させるポンプを備え、前記ポンプにより前記吐出口列からインクを吸引する際、第１のインクを吐出する第１の吐出口列から該吐出口列に対応する吸引口へ至るインク経路上に、前記第１の吐出口列と異なるインクを吐出する第２の吐出口列が配されないよう、前記吸引口が配されていることを特徴とする。
【手続補正３】
【補正対象書類名】明細書
【補正対象項目名】００８９
【補正方法】変更
【補正の内容】
【００８９】
【発明の効果】
以上の説明から明らかなごとく、本発明によれば、各吐出口列から吸引されるインクを異なるインクの吐出口を通過させることなくキャップ外へ導出できることから、１個のキャップを用いて複数の異なるインクを吸引する場合でも吐出口に異なるインクが浸入することを抑止できる。それによって、簡単かつ安価な構成で、かつ短時間でインク消費の少ない予備吐出動作で、記録手段を混色のない正常な画像記録状態に回復させることができる。さらに、予備吐出によるインクミスト発生を低減して機内のインク汚染を防止することができる。
【手続補正書】
【提出日】平成16年8月19日(2004.8.19)
【手続補正１】
【補正対象書類名】明細書
【補正対象項目名】請求項５
【補正方法】変更
【補正の内容】
【請求項５】
延伸ヤーンが、ポリオレフィンからなる基層に、基層のポリオレフィンより融点の低い熱可塑性樹脂からなる表層が積層された積層構造体からなる請求項４に記載の補強合成樹脂シート。
【手続補正書】
【提出日】平成16年11月18日(2004.11.18)
【手続補正１】
【補正対象書類名】明細書
【補正対象項目名】発明の名称
【補正方法】変更
【補正の内容】
【発明の名称】剪断モード型インクジェットヘッド及びその作製方法
【手続補正２】
【補正対象書類名】明細書
【補正対象項目名】特許請求の範囲
【補正方法】変更
【補正の内容】
【特許請求の範囲】
【請求項１】
一面に矩形凹部が加工された第１の矩形ブロックの該加工面と、第２の矩形ブロックの平滑面とを貼り合わせて形成された、複数のインクチャネルに連通する形態のインク供給部用の穿孔を有するセラミック製矩形ブロックから切り出されたカバープレートが、貼合されて形成されたことを特徴とする剪断モード型インクジェットヘッド。
【請求項２】
インクの供給部用の穿孔となる凹部を有した第１ブロックと、第２ブロックとを、前記凹部が第２ブロック側に位置するように貼り合わせたブロックから切り出されたカバープレートと、
複数の溝が加工され、該複数の溝をカバーしてインクチャネルを形成するようにカバープレートが貼り合わされた圧電性セラミックと、
を有することを特徴とする剪断モード型インクジェットヘッド。
【請求項３】
中央に凹部を有した第１ブロック２つを、第２ブロックの両側に、該凹部を第２ブロック側にして貼り付けるステップと、
第１ブロック２つが貼られた第２ブロックを、両側に前記凹部による空洞を有した板状にスライスしてカバープレートを得るステップと、
板状にスライスしたカバープレートを、複数のインクチャネルが溝加工された圧電性セラミック基板に貼り付けるステップと、
カバープレートが貼り付けられた圧電性セラミック基板を２つの凹部の間でカットするステップと、
を備えたことを特徴とする剪断モード型インクジェットヘッドの作製方法。
【請求項４】
前記凹部は、複数のインクチャネルに連通するインク供給部用の穿孔であることを特徴とする請求項３に記載の剪断モード型インクジェットヘッドの作製方法。
【手続補正３】
【補正対象書類名】明細書
【補正対象項目名】０００１
【補正方法】変更
【補正の内容】
【０００１】
【発明の属する技術分野】
本発明は、高速記録に適してかつ量産に有利な剪断モード型インクジェットヘッド及びその作製方法に関する。
【手続補正４】
【補正対象書類名】明細書
【補正対象項目名】００１５
【補正方法】変更
【補正の内容】
【００１５】
【課題を解決するための手段】
本発明の上記目的は、
一面に矩形凹部が加工された第１の矩形ブロックの該加工面と、第２の矩形ブロックの平滑面とを貼り合わせて形成された、複数のインクチャネルに連通する形態のインク供給部用の穿孔を有するセラミック製矩形ブロックから切り出されたカバープレートが、貼合されて形成された剪断モード型インクジェットヘッド、
により達成される。
また、本発明の上記目的は、
インクの供給部用の穿孔となる凹部を有した第１ブロックと、第２ブロックとを、前記凹部が第２ブロック側に位置するように貼り合わせたブロックから切り出されたカバープレートと、
複数の溝が加工され、該複数の溝をカバーしてインクチャネルを形成するようにカバープレートが貼り合わされた圧電性セラミックと、
を有することを特徴とする剪断モード型インクジェットヘッド、
により達成される。
さらに、本発明の上記目的は、
中央に凹部を有した第１ブロック２つを、第２ブロックの両側に、該凹部を第２ブロック側にして貼り付けるステップと、
第１ブロック２つが貼られた第２ブロックを、両側に前記凹部による空洞を有した板状にスライスしてカバープレートを得るステップと、
板状にスライスしたカバープレートを、複数のインクチャネルが溝加工された圧電性セラミック基板に貼り付けるステップと、
カバープレートが貼り付けられた圧電性セラミック基板を２つの凹部の間でカットするステップと、
を備えたことを特徴とする剪断モード型インクジェットヘッドの作製方法、
により達成される。
【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】
本体と前面扉との間に設けられたヒンジを介して前記前面扉を前記本体に開閉可能に支持する遊技機であって、
前記前面扉の開口周縁の少なくとも一部に設けられた扉側被覆部材と、
前記本体の開口周縁の少なくとも一部に設けられた本体側被覆部材と
を備え、
前記前面扉を閉じると、前記本体側被覆部材と前記扉側被覆部材とが重なり合って前記本体と前記前面扉との隙間を覆う
遊技機。
【請求項２】
前記前面扉を閉じると、前記本体側被覆部材と前記扉側被覆部材とが重なり合って前記本体と前記前面扉との隙間を覆うと共に、前記扉側被覆部材の上端及び下端が前記本体の上面内部及び下面内部にそれぞれ近接するように入り込む、請求項１に記載の遊技機。
【請求項３】
前記ヒンジは、前記前面扉を閉じたときに該前面扉の内部に収納される位置に設けられ、前記本体は、前記ヒンジの周りを前記前面扉が回転したときに前記前面扉と干渉するのを防止する干渉防止部を有する、請求項１又は２に記載の遊技機。
【請求項４】
前記本体側被覆部材は、前記前面扉を開いたときに該前面扉の外周枠と係止して開放角度を制限する開放制限部を有し、該開放制限部は、前記本体から前記前面扉へ延び出す方向に対して前記開放角度に応じた角度を有している、請求項１〜３のいずれかに記載の遊技機。
【請求項５】
前記ヒンジは、前記本体と前記前面扉とがヒンジ軸方向に沿って相対移動するのを防止する抜け防止部を有する、請求項１〜４のいずれかに記載の遊技機。
【手続補正２】
【補正対象書類名】明細書
【補正対象項目名】００１１
【補正方法】変更
【補正の内容】
【００１１】
手段５．前記ヒンジは、前記前面扉を閉じたときに該前面扉の内部に収納される位置に設けられ、前記本体は、前記ヒンジの周りを前記前面扉が回転したときに前記前面扉と干渉するのを防止する干渉防止部を有する手段１〜４のいずれかに記載の遊技機。こうすれば、前面扉を閉じたときに外観上ヒンジが見えないため見栄えがよいし、干渉防止部の存在により前面扉の開閉に支障が生じることはない。
【手続補正３】
【補正対象書類名】明細書
【補正対象項目名】００２５
【補正方法】変更
【補正の内容】
【００２５】
前面扉１２を閉じた状態では、本体側被覆部材１０１の被覆面１０３と扉側被覆部材１２１の被覆面１２３とが重なり合うことにより、本体１１と前面扉１２との隙間ｄを塞いでいる。このため、この隙間ｄから異物を挿入することは困難である。また、前面扉１２を閉じた状態では、扉側被覆部材１２１の被覆面１２３の上端は本体１１の上面内部つまり天井面１０８と近接するように、また、扉側被覆部材１２１の被覆面１２３の下端は本体１１の下面内部つまり底面１０９と近接するように入り込む。このため、閉じた状態の前面扉１２をヒンジ軸１１１，１１２から外そうとしても、扉側被覆部材１２１の被覆面１２３の上端が本体１１の天井面１０８に当たったり被覆面１２３の下端が本体１１の底面１０９に当たったりして、前面扉１２をヒンジ軸１１１，１１２から外すことができない。更に、前面扉１２を閉じた状態では、ヒンジ（ヒンジ軸１１１，１１２と中空円筒部１０６，１０７と水平段部１２４，１２５）は前面扉１２の内部に収納されているため、前面扉１２を開こうとすると、前面扉１２の外周枠の端部１２６はヒンジ軸１１１，１１２を中心として円弧（図６における二点鎖線参照）を描くことになるが、その際に本体１１との干渉を避けるべく本体１１の左側面の前端に段差１１６が設けられ、本体１１の天板及び底板には円弧状の切欠１１７（底板側の切欠は図示せず）が設けられている。
【手続補正４】
【補正対象書類名】明細書
【補正対象項目名】００２９
【補正方法】変更
【補正の内容】
【００２９】
更に、前面扉１２を閉じたときに外観上ヒンジが見えないため見栄えがよいし、干渉防止部としての段差部１１６及び切欠１１７の存在により前面扉１２の開閉に支障が生じることはない。
【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
遊技板に設けられ、かつ、それぞれが変動表示され、所定のタイミングで停止表示され得る複数の変動図柄からなる識別情報画像と、演出画像とを含む画面画像が表示される表示部、及び、
遊技状況に応じた音を出力するスピーカを備え、
前記スピーカにより、立体音の効果が生じる音を出力することが可能な遊技機であって、
リーチとなった後、大当たりとなるか否かを決定する最終変動図柄の変動方向及び／又は変動速度が変化し、その変化と関連するように、前記立体音の効果が生じる音を出力することを特徴とする遊技機。
【請求項２】
遊技板に設けられ、当該遊技板上に展開される遊技状況に応じて適宜、動画像、静画像又はこれらを組み合わせた画像からなる画面画像が表示される表示部、
遊技状況に応じた音を出力するスピーカ、並びに、
少なくとも前記表示部への電子データの伝送及び前記スピーカへの音信号の送信を行う制御部を備え、
前記スピーカにより、立体音の効果が生じる音を出力することが可能であり、かつ、
前記画面画像は、それぞれが変動表示され、所定のタイミングで停止表示され得る複数の変動図柄からなる識別情報画像と、演出画像とを含む遊技機であって、
リーチとなった後、大当たりとなるか否かを決定する最終変動図柄の変動方向及び／又は変動速度が変化し、その変化と関連するように、前記立体音の効果が生じる音を出力することを特徴とする遊技機。
【請求項３】
遊技板に設けられ、当該遊技板上に展開される遊技状況に応じて適宜、動画像、静画像又はこれらを組み合わせた画像からなる画面画像が表示される表示部、
遊技状況に応じた音を出力するスピーカ、並びに、
少なくとも前記表示部への電子データの伝送及び前記スピーカへの音信号の送信を行う制御部を備え、
前記スピーカにより、立体音の効果が生じる音を出力することが可能であり、かつ、
前記画面画像は、所定のタイミングで停止表示され得る複数の変動図柄からなる識別情報画像と、演出画像とを含む遊技機であって、
前記制御部は、前記スピーカ及び前記表示部への電子データの伝送、並びに、前記スピーカへの音信号の送信を行うことにより、
リーチとなった後、前記表示部に、大当たりとなるか否かを決定する最終変動図柄の変動方向及び／又は変動速度を変化させ、
その変化と関連するように、前記立体音の効果が生じる音を前記スピーカに出力させることを特徴とする遊技機。
【請求項４】
前記立体音の効果が生じる音は、仮想音源を発生させる音であり、
リーチとなった後、前記最終変動図柄の変動方向及び／又は変動速度が変化し、その変化と関連するように、前記仮想音源を発生させる音を出力する請求項１〜３のいずれか１に記載の遊技機。
【請求項５】
前記仮想音源を発生させる音は、吸引音である請求項４に記載の遊技機。
【請求項６】
前記複数の変動図柄は、水平方向に変動表示され、
前記最終変動図柄の変動方向は、前記複数の変動図柄の変動方向と同じ方向又は逆方向である請求項１〜５のいずれか１に記載の遊技機。
【請求項７】
前記スピーカは、パラメトリックスピーカである請求項１〜６のいずれか１に記載の遊技機。
【請求項８】
遊技板に設けられ、当該遊技板上に展開される遊技状況に応じて適宜、動画像、静画像又はこれらを組み合わせた画像からなる画面画像が表示される表示部、
遊技状況に応じた音を出力するスピーカ、並びに、
少なくとも前記表示部への電子データの伝送及び前記スピーカへの音信号の送信を行う制御部を備えた遊技機の演出表現方法であり、
前記スピーカにより、立体音の効果が生じる音を出力することが可能であり、かつ、
前記画面画像は、それぞれが変動表示され、所定のタイミングで停止表示され得る識別情報画像と、演出画像とを含む遊技機の演出表現方法であって、
リーチとなった後、大当たりとなるか否かを決定する最終変動図柄の変動方向及び／又は変動速度を変化させ、その変化と関連するように、前記立体音の効果が生じる音を出力させることを特徴とする遊技機の演出表現方法。
【請求項９】
各端末機に遊技機を示す遊技機画像を表示させるとともに、遊技状況に応じた音を出力させるサーバであり、かつ、
前記各端末機に対して立体音の効果が生じる音を出力させる制御を行うことが可能なサーバであって、
前記端末機において行われる遊技の状況に応じて、それぞれが変動表示され、所定のタイミングで停止表示され得る複数の変動図柄からなる識別情報画像と、演出画像とを含む画面画像を表示させる制御を端末機に対して行うとともに、
リーチとなった後、大当たりとなるか否かを決定する最終変動図柄の変動方向及び／又は変動速度を変化させ、その変化と関連するように、前記立体音の効果が生じる音を出力させる制御を端末機に対して行うことを特徴とするサーバ。
【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】
開閉可能な前面扉を備えた遊技機であって、
前記前面扉に着脱自在又は開閉自在に取り付けられたプレート支持枠と、
前記プレート支持枠に着脱自在に取り付けられたプレートと、
前記前面扉に設けられ、前記プレートの周縁部を裏面側から押さえる押さえ部材と
を備えた遊技機。
【請求項２】
前記押さえ部材は、前記プレートの少なくとも長手方向の周縁部を裏面側から押さえる、請求項１に記載の遊技機。
【請求項３】
前記押さえ部材は、前記プレートの周縁部に沿って複数箇所に設けられている、請求項１又は２に記載の遊技機。
【請求項４】
前記押さえ部材は、前記プレートの周縁部との接触部が前記周縁部に沿って細長く形成されている、請求項１〜３のいずれかに記載の遊技機。
【請求項５】
請求項１〜４のいずれかに記載の遊技機であって、
前記プレート支持枠に設けられ、前記プレート支持枠に非固定の前記プレートを位置合わせした状態で操作がなされると前記プレートを固定する一方、前記プレート支持枠に前記プレートを固定した状態で操作がなされると前記プレートの固定を解除する固定部材、
を備えた遊技機。
【請求項６】
前記固定部材は、前記プレートの相対向する２箇所に設けられている、請求項５に記載の遊技機。
【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】
左右部の一方を回動軸として開閉する前面扉を有する遊技機であって、
前記前面扉は、少なくとも遊技のために遊技者により操作される操作部を有する操作部用部材と遊技を視認する視認部を有する視認部用部材とを含む複数の部材が各々左右部に配置された二つの支持部材に取り付けられてなることを特徴とする遊技機。
【請求項２】
請求項１記載の遊技機であって、
前記操作部用部材は、取り替え可能な前面パネルが取り付けられてなり、
前記視認部用部材は、表示装置を取り付ける表示装置取付部が形成されてなる
遊技機。
【請求項３】
前記複数の部材は、遊技に用いる遊技媒体の払い出しを受けて貯留する遊技媒体貯留部を有する遊技媒体貯留部用部材を含む請求項１または２記載の遊技機。
【請求項４】
前記複数の部材の前記二つの支持部材における取付固定位置が同一となるよう調整されてなる請求項１ないし３いずれか記載の遊技機。
【請求項５】
前記複数の部材は、樹脂の射出成形により成型されてなる請求項１ないし４いずれか記載の遊技機。
【手続補正書】
【提出日】平成16年11月22日(2004.11.22)
【手続補正１】
【補正対象書類名】明細書
【補正対象項目名】請求項１
【補正方法】変更
【補正の内容】
【請求項１】
敷物と；
対向電極となる第１電極及び第２電極と、
該第１電極は前記敷物の上方側に設けられ、該第２電極は敷物のほぼ中央に配設され；
前記電極間に高電圧を印加させるための高電圧発生装置と；
人体の体幹を構成する各部位の誘導電流密度を均一にするための誘導電流密度均一化手段と；
を備えることを特徴とする敷物ユニット。
【手続補正２】
【補正対象書類名】明細書
【補正対象項目名】００１３
【補正方法】変更
【補正の内容】
【００１３】
該敷物は、床から約２０ｃｍ〜約５０ｃｍの距離に設置されるとよい。この距離は、人体の体幹を構成する各部位の誘導電流密度を均一にするための誘導電流密度均一化手段の役割を果たす。かくして、頭部に設けられた第１電極板の幅を１５ｃｍ、第２電極電圧１０００ボルトの場合、人体の（１）目、（２）首及び（３）胸の部分の垂直断面に流れる誘導電流及び誘導電流密度は、それぞれ（１）約１．１１０から約１．４４８マイクロアンペア、約０．０４６１から約０．０６０１ｍＡ／ｍ２、（２）約１．８８２から約２．２２２０マイクロアンペア、約０．１０４８から約０．１２３６ｍＡ／ｍ２、（３）約１．０１４から約１．８０５マイクロアンペア、約０．０２１５から約０．０３８３ｍＡ／ｍ２である。
【手続補正３】
【補正対象書類名】図面
【補正対象項目名】図４
【補正方法】変更
【補正の内容】
【図４】
2003154018.tif 000001
【手続補正書】
【提出日】平成16年5月6日(2004.5.6)
【手続補正１】
【補正対象書類名】明細書
【補正対象項目名】特許請求の範囲
【補正方法】変更
【補正の内容】
【特許請求の範囲】
【請求項１】
ゲーム画面に複数の操作領域を表示し、各々の操作領域内で遊戯者の操作に基づいて生成される操作信号に対応して、対戦ゲームを処理させるプログラムが記録されたメモリと、このプログラムに基づいて前記ゲームのための処理を行うＣＰＵブロックと、ゲーム時間を計測する時間計測用タイマーと、を備えるゲーム装置であって、
前記ＣＰＵブロックは前記プログラムに基づいて、前記遊戯者の所定の操作により、前記複数の操作領域のうち、一の操作領域のゲームを操作する遊戯者に対して勝利宣言を行う操作信号が入力されたとき、勝利宣言フラグを有効にする第１の手段と、前記複数の操作領域のうち、一の操作領域において、前記勝利宣言フラグが有効であったとき、該操作領域における勝利宣言後の操作信号の入力をゲームステージ終了まで無効にする第２の手段と、勝利宣言がされていない他の操作領域の処理が残っているか否か判定する手段と、該判定する手段により、未処理の操作領域がある場合には、その操作領域に処理を移して前記第１および第２の手段を繰り返し実行する手段と、前記勝利宣言を行った遊戯者のゲーム得点を当該勝利宣言で決着させる手段と、前記勝利宣言を行っていない遊戯者が操作する操作領域のゲーム得点をゲーム終了で決着させる手段と、これらゲーム得点で勝負の決着を決める手段と、前記タイマー値に基づいてゲーム成績を求める手段と、を実行するようにしたゲーム装置。
【請求項２】
前記プログラムがゲーム画面に、表示されたブロックが移動する複数の操作領域を表示し、各々の操作領域内で遊戯者の操作に基づいて生成される操作信号に対応して、落下していくブロックを左右に移動させ、着地して固定されたときに所定の条件が揃ったブロックが消去される対戦型落下式パズルゲームを処理させるものであり、前記第２の手段は、前記勝利宣言フラグが有効であったとき、前記操作領域におけるその勝利宣言後の操作信号の入力をゲームステージ終了まで無効にして前記ブロックを垂直に落下させるものである、請求項１記載のゲーム装置。
【請求項３】
前記時間計測用タイマーは、ゲーム開始から終了までの時間を計測するものであり、前記ＣＰＵブロックは、前記勝利宣言がされた操作領域の当該タイマーを前記フラグが有効後停止させる手段を実行する請求項１又は２記載の装置。
【請求項４】
ゲーム画面に複数の操作領域を表示し、各々の操作領域内で遊戯者の操作に基づいて生成される操作信号に対応して、対戦ゲームを処理させるプログラムが記録されたメモリと、このプログラムに基づいて前記ゲームのための処理を行うＣＰＵブロックと、ゲーム時間を計測する時間計測用タイマーと、を備えるゲーム装置における、当該ＣＰＵブロックによって行われる前記ゲームのためのデータ処理方法であって、前記ＣＰＵブロックは前記プログラムに基づいて、前記遊戯者の所定の操作により、前記複数の操作領域のうち、一の操作領域のゲームを操作する遊戯者に対して勝利宣言を行う操作信号が入力されたとき、勝利宣言フラグを有効にする第１のステップと、前記複数の操作領域のうち、一の操作領域において、前記勝利宣言フラグが有効であったとき、該操作領域における勝利宣言後の操作信号の入力をゲームステージ終了まで無効にする第２のステップと、勝利宣言がされていない他の操作領域の処理が残っているか否か判定するステップと、該判定するステップにより、未処理の操作領域がある場合には、その操作領域に処理を移して前記第１および第２のステップを繰り返し実行するステップと、前記勝利宣言を行った遊戯者のゲーム得点を当該勝利宣言で決着させるステップと、前記勝利宣言を行っていない遊戯者が操作する操作領域のゲーム得点をゲーム終了で決着させるステップと、これらゲーム得点で勝負の決着を決めるステップと、前記タイマー値に基づいてゲーム成績を求めるステップと、を実行するようにしたデータ処理方法。
【請求項５】
前記プログラムがゲーム画面に、表示されたブロックが移動する複数の操作領域を表示し、各々の操作領域内で遊戯者の操作に基づいて生成される操作信号に対応して、落下していくブロックを左右に移動させ、着地して固定されたときに所定の条件が揃ったブロックが消去される対戦型落下式パズルゲームを処理させるものであり、前記第２のステップは、前記勝利宣言フラグが有効であったとき、前記操作領域におけるその勝利宣言後の操作信号の入力をゲームステージ終了まで無効にして前記ブロックを垂直に落下させるものである、請求項４記載の方法。
【請求項６】
前記時間計測用タイマーは、ゲーム開始から終了までの時間を計測するものであり、前記ＣＰＵブロックは、前記勝利宣言がされた操作領域の当該タイマーを前記フラグが有効後停止させるステップをさらに実行する請求項４又５記載の方法。
【請求項７】
請求項４乃至６のいずれか一項記載のステップをゲーム装置に実行させるためのプログラムが記録された記録媒体。
【手続補正書】
【提出日】平成17年2月16日(2005.2.16)
【手続補正１】
【補正対象書類名】明細書
【補正対象項目名】特許請求の範囲
【補正方法】変更
【補正の内容】
【特許請求の範囲】
【請求項１】
所定の確率で特賞状態を呈する構成のパチンコ台側から出力される稼働信号に基づいて当該パチンコ台についての各種の稼働データを演算し出力する演算手段を備えた遊技場用データ管理システムにおいて、
前記演算手段は、前記稼働データを、各パチンコ台に予め設定されている理論上の特賞発生確率に基づいて補正する演算を行い、その演算結果を補正稼働データとして出力することを特徴とする遊技場用データ管理システム。
【請求項２】
前記パチンコ台が、特賞状態終了後に特賞発生確率を高めた確率変動状態を呈する構成のものであった場合には、前記演算手段は、前記稼働データを、各パチンコ台に予め設定されている理論上の特賞発生確率及び確率変動状態での理論上の特賞発生確率に基づいて補正することを特徴とする請求項１記載の遊技場用データ管理システム。
【請求項３】
前記稼働データは、アウト玉数に対するセーフ玉数の比率を示す出玉率、売上玉数に対する景品玉数の比率を示す割数、パチンコ玉１個当たりの売上単価を示す玉単価、或いはパチンコ玉１個当たりの粗利を示す玉粗利であることを特徴とする請求項１または２記載の遊技場用データ管理システム。
【手続補正２】
【補正対象書類名】明細書
【補正対象項目名】０００５
【補正方法】変更
【補正の内容】
【０００５】
【課題を解決するための手段】
請求項１記載の発明は、所定の確率で特賞状態を呈する構成のパチンコ台側から出力される稼働信号に基づいて当該パチンコ台についての各種の稼働データを演算し出力する演算手段を備えた遊技場用データ管理システムにおいて、
前記演算手段として、前記稼働データを、各パチンコ台に予め設定されている理論上の特賞発生確率に基づいて補正する演算を行い、その演算結果を補正稼働データとして出力する構成のものを備えたことに特徴を有する。
【手続補正３】
【補正対象書類名】明細書
【補正対象項目名】０００６
【補正方法】変更
【補正の内容】
【０００６】
この構成によれば、演算手段において、理論上の特賞発生確率のような釘調整の影響を受けないデータに基づいてパチンコ台における各種の稼働データを補正する演算が行われると共に、その演算結果が補正稼働データとして出力されるので、このような補正稼働データに基づいて釘調整の適否を容易且つ適正に判断できるようになる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正書】
【提出日】平成16年6月29日(2004.6.29)
【手続補正１】
【補正対象書類名】明細書
【補正対象項目名】発明の名称
【補正方法】変更
【補正の内容】
【発明の名称】車両のインパネモジュールとその組立て方法および車両用の伝送システム
【手続補正２】
【補正対象書類名】明細書
【補正対象項目名】特許請求の範囲
【補正方法】変更
【補正の内容】
【特許請求の範囲】
【請求項１】
車両のインパネモジュールであって、
互いに通信可能である意匠部と機能部を有する少なくとも一つの電装品と、
該意匠部が取り付けられる前側部を有するダッシュパネルと、
該機能部に接続されるコネクタが設けられ、該ダッシュパネルの後側部と一体化されるリーンフォースとを具備して成り、
該機能部は、該コネクタと該ダッシュパネルの後側部との間に配置されるように該リーンフォース上に設けられることを特徴とするインパネモジュール。
【請求項２】
車両用の伝送システムであって、
互いに通信可能である意匠部と機能部を有する少なくとも一つの電装品と、
該意匠部が取り付けられる前側部を有するダッシュパネルと、
該機能部に接続されるコネクタが設けられ、該ダッシュパネルの後側部と一体化されるリーンフォースとを具備して成り、
前記機能部が取り付けられてサブモジュールを形成するリーンフォースと、前記意匠部が装着されたダッシュパネル並びに意匠部が形成されたステアリングモジュールとの間で信号伝送および電力伝達が非接触接続で行われることを特徴とする車両用の伝送システム。
【請求項３】
前記信号伝送が赤外線通信または光通信によることを特徴とする請求項２記載の車両用の伝送システム。
【請求項４】
前記電力伝達が電磁誘導方式によることを特徴とする請求項２記載の車両用の伝送システム。
【請求項５】
車両のインパネモジュールの組立て方法であって、
該車両の少なくとも一つの電装品を、互いに通信可能な意匠部と、その駆動回路を含む機能部とに分割して、
該意匠部をダッシュパネルの前側部に設け、
該機能部をリーンフォースに設けられたコネクタに接続し、該機能部が該コネクタと該ダッシュパネルの後側部との間に配置されるように該リーンフォース上に設け、
該ダッシュパネルの後側部と該リーンフォースを一体化することを特徴とするインパネモジュールの組立て方法。
【手続補正３】
【補正対象書類名】明細書
【補正対象項目名】０００１
【補正方法】変更
【補正の内容】
【０００１】
【発明の属する技術分野】
本発明は、インストルメントパネル・モジュールとその組立て方法及び車両用の伝送システムに関し、詳しくは、オーディオ、時計及びエアコン等の電装品を装備したインストルメントパネルを機能部（駆動制御部）と意匠部（表示／ＳＷ操作部）とに分割し、機能部をリーンフォースのワイヤーハーネス側に取り込んだインストルメントパネル・モジュールとその組立て方法および車両用の伝送システムに関する。
【手続補正４】
【補正対象書類名】明細書
【補正対象項目名】０００７
【補正方法】変更
【補正の内容】
【０００７】
【課題を解決するための手段】
上記目的を達成するために本発明に係る請求項１記載のインパネモジュールは、車両のインパネモジュールであって、互いに通信可能である意匠部と機能部を有する少なくとも一つの電装品と、該意匠部が取り付けられる前側部を有するダッシュパネルと、該機能部に接続されるコネクタが設けられ、該ダッシュパネルの後側部と一体化されるリーンフォースとを具備して成り、該機能部は、該コネクタと該ダッシュパネルの後側部との間に配置されるように該リーンフォース上に設けられることを特徴とする。
【手続補正５】
【補正対象書類名】明細書
【補正対象項目名】０００８
【補正方法】変更
【補正の内容】
【０００８】
あるいは、本発明に係る請求項２記載の車両用の伝送システムは、車両用の伝送システムであって、互いに通信可能である意匠部と機能部を有する少なくとも一つの電装品と、該意匠部が取り付けられる前側部を有するダッシュパネルと、該機能部に接続されるコネクタが設けられ、該ダッシュパネルの後側部と一体化されるリーンフォースとを具備して成り、前記機能部が取り付けられてサブモジュールを形成するリーンフォースと、前記意匠部が装着されたダッシュパネル並びに意匠部が形成されたステアリングモジュールとの間で信号伝送および電力伝達が非接触接続で行われることを特徴とする。
【手続補正６】
【補正対象書類名】明細書
【補正対象項目名】０００９
【補正方法】変更
【補正の内容】
【０００９】
あるいは、本発明に係る請求項３記載の車両用の伝送システムは、請求項２記載の車両用の伝送システムにおいて、前記信号伝送が赤外線通信または光通信によることを特徴とするものである。
あるいは、本発明に係る請求項４記載の車両用の伝送システムは、請求項２記載の車両用の伝送システムにおいて、前記電力伝達が電磁誘導方式によることを特徴とするものである。
【手続補正７】
【補正対象書類名】明細書
【補正対象項目名】００１０
【補正方法】変更
【補正の内容】
【００１０】
また、本発明に係る請求項５記載の車両のインパネモジュールの組立て方法は、車両のインパネモジュールの組立て方法であって、該車両の少なくとも一つの電装品を、互いに通信可能な意匠部と、その駆動回路を含む機能部とに分割して、該意匠部をダッシュパネルの前側部に設け、該機能部をリーンフォースに設けられたコネクタに接続し、該機能部が該コネクタと該ダッシュパネルの後側部との間に配置されるように該リーンフォース上に設け、該ダッシュパネルの後側部と該リーンフォースを一体化することを特徴とする。
【手続補正８】
【補正対象書類名】明細書
【補正対象項目名】００１１
【補正方法】変更
【補正の内容】
【００１１】
そして、上記構成のインパネモジュールとその組立て方法によれば、各種電装品の機能部と意匠部を切離した。そして、これらの機能部をワイヤーハーネスとともにリーンフォースに取り付けてサブモジュール化とした。
このように、電装品を構成する機能部を意匠部から切離したことで、機能部の標準化を可能にして汎用性を高めることができ、しかも、電装品を構成する意匠部の設計の自由度を高めることができる。
【手続補正９】
【補正対象書類名】明細書
【補正対象項目名】００３０
【補正方法】変更
【補正の内容】
【００３０】
【発明の効果】
以上に述べたように、請求項１又は５記載のインパネモジュール又はインパネモジュールの組立て方法によれば、電装品の機能部と意匠部を切離した。そして、これらの機能部をワイヤーハーネスとともにリーンフォースに取り付けてサブモジュール化とした。
このように、電装品を構成する機能部を意匠部から切離したことで、機能部の標準化を可能にして汎用性を高めることができ、部品点数の削減によるコスト低減が実現できるばかりか、車種に応じてダッシュパネルを構成する意匠部の設計の自由度を高めることができる。
【手続補正書】
【提出日】平成16年4月5日(2004.4.5)
【手続補正１】
【補正対象書類名】明細書
【補正対象項目名】００２０
【補正方法】変更
【補正の内容】
【００２０】
整流ステータ２１は、タービン１３からインペラ１２へと戻る作動油の流れを整流するための機構である。整流ステータ２１は、樹脂やアルミ合金等により鋳造によって製造された一体の部材である。整流ステータ２１はインペラ１２の内周部とタービン１３の内周部との軸方向間に配置されている。整流ステータ２１は、主に、環状のステータキャリア２１ａと、ステータキャリア２１ａの外周面に設けられた複数のステータブレード２１ｂとから構成されている。ステータキャリア２１ａは、ワンウェイクラッチ２５を介して、後述の遊星歯車装置７１の遊星キャリア７２に支持されている。タービンハブ１３ｃの内周部とワンウェイクラッチ２５との軸方向間には、第１スラストベアリング２８が配置されている。第１スラストベアリング２８には、半径方向に貫通する複数の溝が形成されている。ステータキャリア２１ａとインペラーシェル１２ａの内周部との軸方向間には、第２スラストベアリング２９が配置されている。ステータキャリア２１ａの第２スラストベアリング２９側には、半径方向に貫通する複数の溝が形成されている。


【手続補正２】
【補正対象書類名】明細書
【補正対象項目名】００２３
【補正方法】変更
【補正の内容】
【００２３】
ピストン３５は、環状の部材である。ピストン３５は、フロントカバー１５の軸方向変速機９側に近接して配置されている。ピストン３５の外周面は、フロントカバー１５の外周側に形成された内周面に当接して半径方向に支持され、軸方向及び回転方向には相対移動可能になっている。ピストン３５の外周面には、環状のシール部材が装着されている。このシール部材は、前記の内周面に当接し、その軸方向両側間の作動油の流れを遮断している。ピストン３５の内周面は、円板状部材２６の外周面に当接し支持されている。円板状部材２６の外周面には環状のシール部材が装着されている。このシール部材は、ピストン３５の内周面に当接し、その軸方向両側間の作動油の流れを遮断している。また、ピストン３５の外周側部分はクラッチプレート３２に近接して配置されている。ピストン３５は、ピストン３５とフロントカバー１５との間に形成された油圧室Ａ内の油圧変化によって軸方向に移動する構成となっている。この油圧室Ａは、円板状部材２６の油路２６ａ、２６ｂを介して伝達軸９１の軸中心を貫通する油孔９１ａに連通している。これにより、クラッチ機構１７を作動させるための作動油系統は、トーラス２０を作動するための作動油系統とは別の独立した油圧系統となっている。


【手続補正３】
【補正対象書類名】図面
【補正対象項目名】図２
【補正方法】変更
【補正の内容】
【図２】
2003154862.tif 000001